(57)【要約】      （修正有）【課題】インク受け部へのインクの堆積を好適に抑制しつつ、インクの堆積を抑制するために使用するインク量を低減することができるインクジェット記録装置を提供する。【解決手段】記録ヘッドと、供給チューブと、インク受け部と、吸引手段と、インク受け部に吐出された第１インクのインク量とインク受け部に吐出された第２インクのインク量とに基づいてインク受け部にインクが堆積していると判断した場合に、当該インク受け部に対して第２インクを吐出する吐出制御を実行する制御手段と、を備える。制御手段は、吐出制御において、前回の吸引動作を実行してからの経過時間が所定時間より小さい場合に吐出する第２インクのインク量を、当該経過時間が当該所定時間より大きい場合に吐出する第２インクのインク量よりも少なくする。【選択図】図１１
2018140606.tif 000002
【特許請求の範囲】
【請求項１】
堆積し易い第１インクとインクの堆積を抑制する第２インクとを吐出可能な記録ヘッドと、
インクタンクから前記記録ヘッドへインクを供給するための供給チューブと、
前記記録ヘッドから吐出されたインクを受けるインク受け部と、
前記記録ヘッドからインクを吸引する吸引動作を実行する吸引手段と、
前記インク受け部に吐出された前記第１インクのインク量と前記インク受け部に吐出された前記第２インクのインク量とに基づいて前記インク受け部にインクが堆積していると判断した場合に、当該インク受け部に対して前記第２インクを吐出する吐出制御を実行する制御手段と、を備えるインクジェット記録装置であって、
前記制御手段は、前記吐出制御において、前回の前記吸引動作を実行してからの経過時間が所定時間より小さい場合に吐出する前記第２インクのインク量を、前記経過時間が前記所定時間より大きい場合に吐出する前記第２インクのインク量よりも少なくすることを特徴とするインクジェット記録装置。
【請求項２】
搬送される記録媒体を支持するプラテンをさらに備え、
前記インク受け部は、前記プラテンに配され、前記記録媒体の外側に吐出されたインクを吸収するプラテン吸収体を有することを特徴とする請求項１に記載のインクジェット記録装置。
【請求項３】
前記記録ヘッドは、記録媒体の外側に対してもインクを吐出して画像を記録する縁無し記録動作を行うことができ、
前記インク受け部は、前記縁無し記録動作において前記記録ヘッドから吐出されたインクを受けることを特徴とする請求項１または２に記載のインクジェット記録装置。
【請求項４】
前記記録ヘッドは、当該記録ヘッドの吐出性能を回復するために記録媒体の外側の領域に対してインクを吐出する予備吐出動作を行うことができ、
前記インク受け部は、前記予備吐出動作において前記記録ヘッドから吐出されたインクを受けることを特徴とする請求項１ないし３のいずれか１項に記載のインクジェット記録装置。
【請求項５】
前記制御手段は、前記記録ヘッドによる記録動作の完了後に、前記インク受け部の所定位置に対して前記吐出制御を実行するか否かを判断することを特徴とする請求項１ないし４のいずれか１項に記載のインクジェット記録装置。
【請求項６】
前記記録ヘッドを搭載して移動可能なキャリッジをさらに備え、
前記制御手段は、前記所定位置に対して前記吐出制御を実行すると判断した場合、前記キャリッジを前記所定位置と対向する位置へ移動させることを特徴とする請求項５に記載のインクジェット記録装置。
【請求項７】
前記吸引手段は、前記記録ヘッドの吐出口面を覆うことができるキャップと、前記キャップと接続されたポンプとを有し、
前記吸引動作は、前記キャップが前記吐出口面を覆った状態で前記ポンプを駆動することによって前記キャップの内部を負圧にして前記記録ヘッドからインクを吸引する動作であることを特徴とする請求項１ないし６のいずれか１項に記載のインクジェット記録装置。
【請求項８】
前記制御手段は、前記吐出制御において、前記インク受け部に吐出された前記第１インクのインク量と前記インク受け部に吐出された前記第２インクのインク量とに基づいたインク量で前記インク受け部に対して前記第２インクを吐出することを特徴とする請求項１ないし７のいずれか１項に記載のインクジェット記録装置。
【請求項９】
装置本体が設置された環境の温度および湿度の少なくともいずれか一方に関する情報を取得する取得手段をさらに備え、
前記制御手段は、前記取得手段が取得した情報に基づいて、前記吐出制御において吐出する前記第２インクのインク量を決定することを特徴とする請求項１ないし８のいずれか１項に記載のインクジェット記録装置。
【請求項１０】
前記制御手段は、前記吐出制御において、前記温度が所定温度より低い場合に吐出する前記第２インクのインク量を、前記温度が前記所定温度より高い場合に吐出する前記第２インクのインク量よりも少なくすることを特徴とする請求項９に記載のインクジェット記録装置。
【請求項１１】
前記制御手段は、前記吐出制御において、前記湿度が所定湿度より高い場合に吐出する前記第２インクのインク量を、前記湿度が前記所定湿度より低い場合に吐出する前記第２インクのインク量よりも少なくすることを特徴とする請求項９に記載のインクジェット記録装置。
【請求項１２】
前記取得手段は、装置本体に設けられた温湿度センサであることを特徴とする請求項９ないし１１のいずれか１項に記載のインクジェット記録装置。
【請求項１３】
前記吸引動作は、所定量以上のインクを吸引する吸引動作であることを特徴とする請求項１ないし１２のいずれか１項に記載のインクジェット記録装置。
【請求項１４】
前記所定量は、前記記録ヘッドの容積と前記供給チューブの容積の和に相当する量のインク量であることを特徴とする請求項１３に記載のインクジェット記録装置。
【請求項１５】
前記制御手段は、前回の前記吸引動作を実行した後に前記記録ヘッドから消費されたインク消費量に基づいて、前記吐出制御において吐出する前記第２インクのインク量を決定することを特徴とする請求項１ないし１４のいずれか１項に記載のインクジェット記録装置。
【請求項１６】
前記制御手段は、前記吐出制御において、前記インク消費量が所定の消費量より多い場合に吐出する前記第２インクのインク量を、前記インク消費量が前記所定の消費量より少ない場合に吐出する前記第２インクのインク量よりも少なくすることを特徴とする請求項１５に記載のインクジェット記録装置。
【請求項１７】
前記インク消費量は、記録動作によるインク消費、予備吐出動作によるインク消費、及び所定量未満のインクを吸引する吸引動作によるインク消費の少なくともいずれか一つを含むことを特徴とする請求項１５または１６に記載のインクジェット記録装置。
【請求項１８】
前記第１インクは、マゼンタインク、イエローインク、ブラックインクの少なくともいずれか一つを含むことを特徴とする請求項１ないし１７のいずれか１項に記載のインクジェット記録装置。
【請求項１９】
第２インクは、シアンインクを含むことを特徴とする請求項１ないし１８のいずれか１項に記載のインクジェット記録装置。
【請求項２０】
堆積し易い第１インクとインクの堆積を抑制する第２インクとを吐出可能な記録ヘッドと、インクタンクから前記記録ヘッドへインクを供給するための供給チューブと、前記記録ヘッドから吐出されたインクを受けるインク受け部と、前記記録ヘッドからインクを吸引する吸引動作を実行する吸引手段と、を備えるインクジェット記録装置の制御方法であって、
前記インク受け部に吐出された前記第１インクのインク量と前記インク受け部に吐出された前記第２インクのインク量とに基づいて前記インク受け部にインクが堆積していると判断した場合に、前記インク受け部に対して前記第２インクを吐出する吐出制御
前記インク受け部に吐出された前記第１インクのインク量と前記インク受け部に吐出された前記第２インクのインク量とに基づいて前記インク受け部にインクが堆積していると判断した場合に、前記インク受け部に対して前記第２インクを吐出する吐出工程を有し、
当該吐出工程において、前回の前記吸引動作を実行してからの経過時間が所定時間より小さい場合に吐出する前記第２インクのインク量を、前記経過時間が前記所定時間より大きい場合に吐出する前記第２インクのインク量よりも少なくすることを特徴とするインクジェット記録装置の制御方法。
【発明の詳細な説明】
【技術分野】
【０００１】
本発明は、インクジェット記録装置に関する。
【背景技術】
【０００２】
特許文献１には、プラテン吸収体へのインクの堆積を抑制するために、吐出した堆積し易いインク（堆積インク）と堆積を抑制するインク（堆積抑制インク）との量に基づいて、プラテン吸収体に必要量の堆積抑制インクを吐出する技術が開示されている。
【先行技術文献】
【特許文献】
【０００３】
【特許文献１】特開２０１２−５１１９８号公報
【発明の概要】
【発明が解決しようとする課題】
【０００４】
プラテン吸収体（インク受け部）におけるインクの堆積を抑制するために吐出する堆積抑制インクの量は、装置本体からのインクの水分蒸発も考慮して設定する必要がある。特に、インクタンクから記録ヘッドへ供給チューブを用いてインクを供給する構成の場合、時間と共に供給チューブからインク中に含まれる水分が蒸発していく。装置内の堆積抑制インクの水分が蒸発すると、堆積抑制インクを吐出しても十分にインクの堆積を抑制する効果を得ることができない場合がある。そこで、インクの水分蒸発分も考慮して、予め堆積抑制インクの吐出量を多めに設定しておくことも考えられるが、堆積抑制インクの消費量が増大してしまうという課題が生じる。
【０００５】
本発明は上記課題に鑑みてなされたものであり、インク受け部へのインクの堆積を好適に抑制しつつ、インクの堆積を抑制するために使用するインク量を低減することが可能な技術を提供することを目的とする。
【課題を解決するための手段】
【０００６】
上記目的を達成するため、本発明のインクジェット記録装置は、堆積し易い第１インクとインクの堆積を抑制する第２インクとを吐出可能な記録ヘッドと、インクタンクから前記記録ヘッドへインクを供給するための供給チューブと、前記記録ヘッドから吐出されたインクを受けるインク受け部と、前記記録ヘッドからインクを吸引する吸引動作を実行する吸引手段と、前記インク受け部に吐出された前記第１インクのインク量と前記インク受け部に吐出された前記第２インクのインク量とに基づいて前記インク受け部にインクが堆積していると判断した場合に、当該インク受け部に対して前記第２インクを吐出する吐出制御を実行する制御手段と、を備えるインクジェット記録装置であって、前記制御手段は、前記吐出制御において、前回の前記吸引動作を実行してからの経過時間が所定時間より小さい場合に吐出する前記第２インクのインク量を、前記経過時間が前記所定時間より大きい場合に吐出する前記第２インクのインク量よりも少なくすることを特徴とする。
【発明の効果】
【０００７】
本発明によれば、インク受け部へのインクの堆積を好適に抑制しつつ、インクの堆積を抑制するために使用するインク量を低減することが可能な技術を提供することができる。
【図面の簡単な説明】
【０００８】
【図１】本発明の実施形態に係るインクジェット記録装置を示す模式図である。
【図２】本実施形態の記録装置におけるインク吐出領域を示す図である。
【図３】本実施形態の記録装置におけるプラテンとプラテン吸収体を示す図である。
【図４】本実施形態の記録装置における制御部の構成を示すブロック図である。
【図５】本実施形態における各インクの堆積し易さを評価した実験結果を示す図である。
【図６】本実施形態におけるシアンインクの堆積抑制効果を評価した実験結果を示す図である。
【図７】本実施形態におけるシアンインクの各蒸発率に対する堆積抑制効果を評価した実験結果を示す図である。
【図８】本実施形態における堆積抑制インクの各蒸発率に対応する吐出量の係数を示す図である。
【図９】本実施形態における供給チューブの常温常湿環境下における経過時間に対する蒸発率を評価した実験結果を示す図である。
【図１０】本実施形態における各温湿度領域での重み付け係数を示す図である。
【図１１】本実施形態における堆積抑制制御のフローチャートを示す図である。
【図１２】本実施形態におけるインクの蒸発率を算出するフローチャートを示す図である。
【図１３】第１実施形態の堆積抑制インクのインク量低減の効果を示す図である。
【図１４】第２実施形態の堆積抑制インクのインク量低減の効果を示す図である。
【発明を実施するための形態】
【０００９】
（第１実施形態）
（インクジェット記録装置の構成）
以下、図面を参照しながら本発明の第１実施形態について詳細に説明する。
【００１０】
図１は、本実施形態に係るインクジェット記録装置（以下、単に記録装置ともいう）を示す模式図である。インクタンク１は、装置本体に設けられたインクタンクホルダ２に着脱自在に装着される。インクタンクホルダ２には、シアンインク、マゼンタインク、イエローインク、ブラックインクの４色の顔料インクをそれぞれ収容するインクタンクが個別に装着される。インクタンク１は、キャリッジ８に搭載された記録ヘッド７に供給チューブ６を介して各色のインクを供給する。キャリッジ８は、記録ヘッド７を着脱自在に搭載する。搬送機構９は、プラテンに支持された記録シート（記録媒体）１１を搬送方向Ａに搬送する。キャリッジ８は、搬送方向Ａと交差する方向に往復移動可能に構成されている。キャリッジ８は、記録シート１１の搬送が停止している間にプラテン１２の上方を移動する。記録ヘッド７は、各色のインクを吐出可能な吐出口（ノズル）が複数配された吐出口面（ノズル面）を有している。記録ヘッド７は、キャリッジ８の移動中に吐出口からインクを吐出することで記録シート１１に画像を記録する記録動作を行う。
【００１１】
キャリッジ８の移動方向における記録シート１１の外側の領域（記録領域外）には回復ユニット１０が設けられている。キャリッジ８は、インクタンク１から記録ヘッド７にインクを充填する際（初期充填時）や、記録ヘッド７の吐出性能を回復する際（回復動作時）に、回復ユニット１０と対向する位置へ移動する。回復ユニット１０は、記録ヘッド７の吐出口面を覆うことができるキャップ３１と、チューブを介してキャップ３１と接続されたポンプ（吸引ポンプ）３２とを有している。回復ユニット１０は、キャリッジ８が回復ユニット１０と対向する位置に移動したときに、キャップ３１を上昇させ、キャップ３１により記録ヘッド７の吐出口面を覆う。回復ユニット１０は、キャップ３１が記録ヘッド７の吐出口面を覆った状態において、ポンプ３２を駆動することで、キャップ３１の内部を負圧にして、記録ヘッド７からインクを吸引する吸引動作を行う。また、回復ユニット１０は、記録ヘッド７の吐出口面を拭払する拭払動作を行うワイパ（ワイパブレード）３０を有している。
【００１２】
図２は、本実施形態の記録装置におけるプラテン１２とプラテン吸収体（インク受け部）１３を示す図である。プラテン１２は、搬送される記録シート１１を下方より支持する。プラテン吸収体１３は、プラテン１２に配されており、記録ヘッド７からプラテン１２上に吐出されたインクを受けて当該インクを吸収する。
【００１３】
本実施形態の記録装置は、記録シートの縁まで画像を記録する、いわゆる縁無し記録を行うことができる。縁無し記録では、記録シートの縁に余白を残さずに画像を記録するため、記録シートの端部から外側に所定のはみ出し量（３ｍｍ）はみ出した領域（はみ出し領域）に対してもインクを吐出する。このはみ出し量は、記録シートの搬送誤差や、記録シートの斜行、記録シートの給送時の最大誤差量等を見込んだ上で、記録シートに余白を残さないように記録できるような量に設定されている。この縁無し記録によって記録シート１１からはみ出して吐出されたインクは、プラテン吸収体１３に着弾し、吸収される。
【００１４】
また、本実施形態の記録装置は、記録ヘッド７の内部の増粘インクを排出するために、記録媒体の外側の領域に対して記録に寄与しないインクを吐出する予備吐出動作を行う。この予備吐出動作によって記録シート１１からはみ出して吐出されたインクも、プラテン吸収体１３に着弾し、吸収される。
【００１５】
図３は、本実施形態の記録装置におけるインク吐出領域を示す図である。本実施形態では、図２に示すような先端側、後端側、左端側、右端側の４つのはみ出し領域にインクが吐出される。これらのはみ出し領域に吐出されたインクは、後述するＣＰＵ２０によって各領域毎に吐出した各インクの吐出量がそれぞれカウントされ、不揮発性メモリ２６に記憶される。各インクの吐出量は、吐出した各インクのドット数に各インクの１ドットあたりの吐出量を乗ずることで、算出することができる。
【００１６】
図４は、本実施形態の記録装置における制御部の構成を示すブロック図である。ＣＰＵ２０は、メインバスライン２５を介して装置各部の制御およびデータ処理を実行する。ＣＰＵ２０は、ＲＯＭ２１に格納されるプログラムに従い、データ処理、記録ヘッドの駆動、キャリッジの駆動等を以下の各部を介して制御することにより、記録動作や回復動作（吸引動作を含む）等を実行する。また、ＣＰＵ２０は、インターフェース２３を介して、ホスト装置との通信処理を行う。ＲＡＭ２２は、ＣＰＵ２０によるデータ処理等のワークエリアとして用いられ、一時的に数行分の記録データや回復動作に係るパラメータ等を保存する。画像入力部２４は、インターフェース２３を介してホスト装置から入力された画像を一時的に保持することができる。不揮発性メモリ２６は、プラテン吸収体に吐出された各色インクのインク量に関する情報や、タイマ３６により取得された前回の吸引動作を実行してからの経過時間に関する情報等を記憶する。また、不揮発性メモリ２６は、温湿度センサ３７により取得された装置本体が設置された環境の温度および湿度に関する情報等を記憶する。不揮発性メモリ２６は、装置本体の電源がＯＦＦにされても情報を保持することができる。
【００１７】
回復系制御回路２８は、ＲＡＭ２２に格納される回復処理プログラムに従って回復系モータ２９の駆動を制御することにより、ワイパ３０の動作、キャップ３１の動作、及びポンプ３２の動作を制御する。ヘッド駆動制御回路３３は、記録ヘッド７によるインク吐出のための駆動を制御し、記録ヘッド７に予備吐出動作や記録動作におけるインク吐出を行わせる。キャリッジ駆動回路３４は、画像信号処理部２７で処理されたプリントデータに従いキャリッジ８の往復移動動作を制御し、また吸引動作を行うためのメンテナンスユニットと対向する位置へのキャリッジ８の移動動作を制御する。搬送制御回路３５は、搬送機構９による記録シート１１の搬送動作を制御する。搬送制御回路３５は、記録ヘッドによる１行分の記録動作の終了後、次行の記録データに対応する画像を記録するために記録シート１１を搬送方向Ａに所定量ずつ間欠的に搬送する間欠搬送動作を制御する。
【００１８】
（インクの堆積）
次に本実施形態の記録装置において生じるインクの堆積について説明する。本実施形態の記録装置は、４色の顔料インク（シアンインク、マゼンタインク、イエローインク、ブラックインク）によって画像を形成する。インクの堆積とは、プラテン吸収体１３上にインクが吐出された場合に、プラテン吸収体１３内にインクが浸透せず、プラテン吸収体１３の表面にインクが残留してしまう現象のことである。このような現象は、溶解性の低い色材を含むインクや、インクの水分蒸発時の粘度上昇が大きく流動性が低減するインク等を使用した場合に発生する。インクの堆積のし易さは、インク中の顔料濃度や固形成分濃度や水分蒸発後の粘度等から推定することができる。また他に、以下に示す実験から求めることができる。
【００１９】
（実験：インクの堆積し易さの判定）
プラテン吸収体の上方にインクを滴下する装置を設置し、高温低湿環境下で対象インクを間欠的に滴下する。ある規定の滴下回数において、プラテン吸収体上に堆積物が発生しているか否かで、対象インクが堆積し易いインクか否かを判定することができる。また、対象インクの堆積物が発生した滴下回数から、対象インクの堆積し易さを評価することができる。
【００２０】
図５に各インクの堆積し易さを評価した実験結果を示す。この実験では、マゼンタインクはプラテン吸収体上に５００回インクを滴下すると堆積が発生した。イエローインクはプラテン吸収体上に２００回インクを滴下すると堆積が発生した。また、ブラックインクはプラテン吸収体上に１００回インクを滴下すると堆積が発生した。この結果によれば、ブラックインク＞イエローインク＞マゼンタインクの順で堆積し易いインクであることが分かった。一方、シアンインクでは堆積は発生しなかった。
【００２１】
（実験：堆積を抑制するインク量の判定）
次に、上記の実験でインクの堆積が発生しなかったシアンインクについて、その堆積抑制効果を調べる。ブラックインク、イエローインク、マゼンタインクの各インクに対して、どの程度の量のシアンインクを混合すれば、堆積が発生しないかを実験して調べた。
【００２２】
図６にシアンインクの堆積抑制効果を評価した実験結果を示す。この実験では、マゼンタインク、イエローインク、ブラックインクそれぞれ１の量に対して、シアンインク０．５，１，２，３，４，５の量をそれぞれ混合した場合のインクの堆積発生の有無を調べた。この実験結果によれば、インクの堆積を解消するためには、ブラックインクに対しては５倍の量（１：５）、イエローインクに対しては２倍の量（１：２）、マゼンタインクに対しては同等の量（１：１）のシアンインクが必要であることが分かった。
【００２３】
このように、シアンインクにはインクの堆積物を溶解する作用があり、シアンインクはインクの堆積を抑制する堆積抑制インクであることが分かった。
【００２４】
（堆積抑制インクの吐出量の算出）
次に、プラテン吸収体に堆積したインクの堆積物を溶解するために必要な堆積抑制インクのインク量の算出方法について説明する。プラテン吸収体の各領域に吐出されたシアンインク、マゼンタインク、イエローインク、ブラックインクの各インクのインク量をそれぞれＣ、Ｍ、Ｙ、Ｋと表す。
【００２５】
プラテン吸収体上のある領域に吐出したインクが堆積するか否かは、図５、図６の結果より、例えば以下の計算式を用いて判定することができる。
Ｄ＝（Ｍ×５＋Ｙ×２＋Ｋ）−Ｃ×５・・・式（１）
【００２６】
各インクのインク量に乗じている係数は、図５、図６の結果より求めたもので、各色のインク量を重み付けするものである。式（１）により算出される判定値Ｄが正の場合、堆積し易いインクに対して堆積抑制インクのインク量が不足していることを示しており、プラテン吸収体にインクが堆積するおそれがある。一方、判定値Ｄが負の場合、堆積し易いインクに対して堆積抑制インクのインク量は充足していることを示しており、プラテン吸収体にインクの堆積は発生しないと考えられる。このように、式（１）により求めた判定値Ｄによって、プラテン吸収体にインクの堆積を抑制するためのインク吐出（以下、堆積抑制吐出ともいう）が必要であるか否かを判定することができる。
【００２７】
しかしながら、堆積抑制吐出に必要なインク量（吐出量）をより正確に算出しようとする場合、装置からの堆積抑制インクの水分蒸発も考慮する必要がある。堆積抑制インク中に含まれる水分の蒸発状態によって、堆積を抑制するために必要な堆積抑制吐出の吐出量が変わるためである。
【００２８】
図７は、堆積抑制インクに含まれる水分の蒸発率（以下、単に蒸発率ともいう）に対する堆積抑制効果を評価した実験結果を示す図である。ここで、蒸発率とは、蒸発前のインク量（インク重量）に対するインクの水分蒸発量（蒸発前インク重量−蒸発後インク重量）の割合を示すものである。すなわち、蒸発率は以下の計算式で表すことができる。
（蒸発率）＝（蒸発前インク重量−蒸発後インク重量）／蒸発前インク重量・・・式（２）
【００２９】
図７は、プラテン吸収体に予めブラックインクを間欠的に所定回数滴下してインクの堆積物を生成した後、異なる蒸発率のシアンインクを用いてインクの堆積物を溶解するのに要したインク量を調べた結果である。この実験により、インクの蒸発率が大きいほど、堆積物を溶解するために必要なインク量は多くなることが分かった。これは蒸発率の高いインクでは、水分がインク中から蒸発してしまっているため、水分によるインクの堆積物を溶解する作用が低下しているからだと考えられる。
【００３０】
従って、本実施形態では、図８に示すように、堆積抑制インクの蒸発率に応じて、堆積抑制吐出において吐出する堆積抑制インクのインク量に重み付けを行う。例えば、蒸発率に応じた係数（蒸発係数）をＫ、その他の所定の係数をＡとして、堆積抑制吐出に必要な吐出量Ｖは、以下のような計算式で算出される。
Ｖ＝Ｋ×Ａ×（（Ｍ×５＋Ｙ×２＋Ｋ）−Ｃ×５）・・・式（３）
【００３１】
（堆積抑制インクの蒸発率の推定）
本実施形態では、以下のように堆積抑制インクの蒸発率を推定する。堆積抑制インクの蒸発率は、所定の時間間隔毎に定期的に算出される。本実施形態では、蒸発率は２４時間毎に算出する。
【００３２】
図１を用いて説明したように、インクはインクタンク１から供給チューブ６を経て記録ヘッド７に供給される。ここでインクタンク１や記録ヘッド７は、そこから多くのインク中の水分が蒸発しないように材料を選定する等して設計されている。一方、供給チューブ６は、屈曲性等の条件を考慮して材料を選定するため、インク中の水分が蒸発しにくい材料を採用できない場合がある。インク中の水分が蒸発しにくい材料の供給チューブは、概して剛度が高く屈曲性が低い傾向にあるため、キャリッジの移動の際の妨げとなったり、供給チューブの屈曲半径を大きくしなければならないために装置の小型化の妨げとなったりするおそれがある。本実施形態の記録装置では、インクタンク１や記録ヘッド７に比べて供給チューブからのインクの水分蒸発が多い。そこで、本実施形態では、供給チューブ６からのインクの水分蒸発のみを考慮して蒸発率の推定を行う。
【００３３】
蒸発率は、インクが供給チューブ６内に充填された時（吸引動作時）を起点として経過時間が大きいほど、大きくなる。すなわち、吸引動作を実行してからの経過時間が所定時間より大きい場合のインクの蒸発率は、当該経過時間が当該所定時間より小さい場合のインクの蒸発率よりも大きくなる。
【００３４】
また、蒸発率は、装置本体が設置された環境の温度や湿度等の条件によっても変わる。具体的には、装置本体が設置された環境の温度が高いほど、また、装置本体が設置された環境の湿度が低いほど、インクの蒸発率は大きくなる。すなわち、装置本体が設置された環境の温度が所定温度より高い場合のインクの水分蒸発率は、当該温度が当該所定温度より低い場合のインクの水分蒸発率よりも大きくなる。また、装置本体が設置された環境の湿度が所定湿度より低い場合のインクの水分蒸発率は、当該湿度が当該所定湿度より高い場合のインクの水分蒸発率よりも大きくなる。温度・湿度は、装置本体に設けられた温湿度センサ３７により取得される。
【００３５】
本実施形態の記録装置は、堆積抑制インクの蒸発率を、タイマ３６により取得された供給チューブ内にインクが充填されてからの経過時間と、温湿度センサ３７により取得された温度・湿度に関する情報とに基づいて、以下のように推定する。
【００３６】
まず、装置本体が設置され、電源がＯＮにされると、回復ユニット１０による吸引動作が実行される。これにより、インクがインクタンク１から供給チューブ６を経て記録ヘッド７に充填される（初期充填）。このときのタイマ３６の時間を０とする。そしてタイマ３６による経過時間の測定を開始し、経過時間に応じた堆積抑制インクの蒸発率を推定する。ここで経過時間と堆積抑制インクの蒸発率の関係については、予め実験により求めておく。図９に、実験により予め求めた常温常湿環境下における経過時間と堆積抑制インクの蒸発率の関係を示す。図９は、経過時間が大きくなるほど蒸発率が上昇していく様子を示している。図９より、経過時間が０日、すなわち吸引動作を実行した直後の時点での堆積インクの蒸発率は０％であり、経過時間が１８０日の時点での堆積インクの蒸発率は約５％であると推定される。
【００３７】
本実施形態ではさらに、定期的に温湿度センサ３７の値を取得し、そのときの温度・湿度に応じて、蒸発率に重み付けを行う。図９で示した常温常湿環境下における蒸発速度を１としたとき、各温湿度領域での蒸発速度の相対差に鑑み、各温湿度領域に対して重み付けを行う。図１０は、各温湿度領域での重み付け係数（温湿度係数）を示す図である。例えば、常温常湿環境下（温度１８℃以上２８℃未満、湿度３５％以上６５％未満）では温湿度係数は１であるのに対し、インク中の水分が蒸発し易い環境である高温低湿環境下（温度２８℃以上、湿度３５％未満）では温湿度係数は１．８である。
【００３８】
温度・湿度に関する情報の取得は２時間毎に行われる。先に述べたように、堆積抑制インクの蒸発率の推定は２４時間毎に行われるので、その間に１２回の温度・湿度に関する情報が取得される。本実施形態では、１２回の温度・湿度に関する情報のうち、その温湿度係数が最も大きな値となるものをこの２４時間の間における代表的な温湿度係数として選定する。この選定した温湿度係数を今回の期間において求めた蒸発率に乗ずることで、今回の期間におけるインクの蒸発率を算出する。このように、最も水分が蒸発し易い環境に基づいた蒸発率を算出することにより、確実にインクの堆積を抑制することができる。
【００３９】
堆積抑制インクの蒸発率は、この２４時間毎の期間のインクの蒸発率を積算したものである。すなわち、堆積抑制インクの蒸発率は、以下の計算式により算出される。
蒸発率（今回）＝蒸発率（前回）＋蒸発率（直近の所定期間）×温湿度係数（直近の所定期間）・・・式（４）
【００４０】
一方、初期充填時以外でも、記録ヘッドの吐出性能を回復する吸引動作（吸引回復動作）により供給チューブ内のインクがすべて排出され、供給チューブがインクタンク内の新たなインクで再充填されたとみなされた場合、蒸発率及びタイマを０にリセットする。具体的には、記録ヘッド７内の容積と供給チューブ６内の容積の和に相当する量よりも多いインク量の吸引動作を実行した場合である。本実施形態では、記録ヘッド７内の容積は１ｍｌ、供給チューブ６内の容積４ｍｌであるため、５ｍｌ以上のインクを吸引する吸引動作を実行した場合に、蒸発率及びタイマを０にリセットする。このような吸引動作は、例えば記録装置が長期間使用されずに放置されていた場合等に行われる。
【００４１】
以上のように、本実施形態では、前回の吸引動作からの経過時間と、温度・湿度に関する情報とに基づいて蒸発率を推定する。このようにして推定した蒸発率から図８に示した蒸発係数を参照し、式（３）より、堆積抑制吐出における堆積抑制インクの吐出量を決定する。
【００４２】
なお、本実施形態では、温度・湿度に関する情報も考慮して蒸発率を推定したが、本発明では必ずしも温度・湿度に関する情報を考慮する必要はない。温度・湿度に関する情報を考慮せず、吸引動作を実行してからの経過時間を考慮するだけでも、十分に本発明の効果を得ることができる。
【００４３】
次に、本実施形態における堆積抑制吐出を制御する吐出制御（堆積抑制制御）についてフローチャートを用いて説明する。図１１は、本実施形態における堆積抑制制御のフローチャートを示す図である。
【００４４】
堆積抑制制御は記録動作の完了後に開始される。まずステップＳ１０１では、プラテン吸収体１３の各領域について前回の堆積抑制吐出を行ってから吐出された各色インクのインク量に関する情報を取得する。各色インクのインク量は、記録動作等によるインクの吐出が行われる毎にＣＰＵ２０によってカウントされ、不揮発性メモリ２６に記憶される。ステップＳ１０２では、上記の式（１）を用いて、ステップＳ１０１で取得したプラテン吸収体の各領域に吐出した各色のインク量から、各領域毎に判定値Ｄを算出する。次にステップＳ１０３では、プラテン吸収体の各領域でインクが堆積しているか否かを判定する。具体的には、上述したように判定値Ｄの正負を判定する。判定値Ｄが負の場合は、インクの堆積は発生していないと判断し、本制御を終了する。一方、判定値Ｄが正の場合は、インクの堆積が発生しているおそれがあると判断し、次のステップＳ１０４へ進む。ステップＳ１０４では、ステップＳ１０３でインクの堆積が発生しているおそれがあると判断されたプラテン吸収体１３の領域（堆積位置、所定位置）にキャリッジ８を移動させる。ステップＳ１０５では、堆積抑制吐出において吐出する堆積抑制インク（シアンインク）の蒸発率を取得する。
【００４５】
ここで、堆積抑制インクの蒸発率の算出方法について、図１２のフローチャートを用いて説明する。この蒸発率の算出は、所定の時間間隔毎（２４時間毎）に定期的に行われる。堆積抑制インクの蒸発率を算出するために、まずステップＳ２０１で、タイマ３６により前回の吸引動作を実行してからの経過時間を取得する。前回の吸引動作とは、上述したように、初期充填時の吸引動作や、所定量以上のインク量を吸引する吸引回復動作等である。次にステップＳ２０２で、温湿度センサ３７により取得された過去１２回分の温度・湿度に関する情報の履歴（温湿度履歴）を取得する。ステップＳ２０３では、過去１２回分の温度・湿度に関する情報のうち、図１０の温湿度係数を参照して、その温湿度係数が最も大きな値となる温湿度係数を代表値として取得する。そしてステップＳ２０４では、図９、図１０、及び式（４）を用いて、前回の吸引動作を実行してからの経過時間と取得した温湿度係数とに基づいて、堆積抑制インクの蒸発率を算出する。算出された堆積抑制インクの蒸発率は不揮発性メモリ２６に記憶される。
【００４６】
再び図１１のフローチャートの説明に戻る。ステップＳ１０５で不揮発性メモリ２６を参照して堆積抑制インクの蒸発率を取得すると、次のステップＳ１０６へ進む。ステップＳ１０６では、上述した堆積位置に対して堆積抑制吐出を行う際の堆積抑制インクの吐出量Ｖを算出する。堆積抑制インクの吐出量Ｖは、式（３）を用いて、ステップＳ１０１で取得した各色インクのインク量と、ステップＳ１０５で取得した堆積抑制インクの蒸発率とに基づいて、算出される。そして、ステップＳ１０７では、プラテン吸収体１３上の堆積位置に対して算出した吐出量Ｖ分の堆積抑制インクの吐出を行い、当該堆積位置におけるインクの堆積を抑制する。
【００４７】
以上、本実施形態によれば、堆積抑制インク中に含まれる水分の蒸発状態に応じて堆積抑制制御において吐出するインク量を決定する。これにより、インク受け部におけるインクの堆積を好適に抑制しつつ、インクの堆積を抑制するために使用するインク量を低減することができる。
【００４８】
図１３は、本実施形態の温度２３℃、湿度５０％の環境下における堆積抑制インクのインク量低減の効果を示す図である。本実施形態によれば、例えば、供給チューブにインクを充填してから（吸引動作を実行してから）３６日以内では、従来に比べて堆積抑制インクの吐出量を５０％低減することができた。また、吸引動作を実行してから３６〜７２日では４０％、７２〜１０８日では３０％、１０８〜１４４日では２０％、１４４〜１８０日では１０％の堆積抑制インクの吐出量を低減することができた。
【００４９】
（第２実施形態）
次に、図面を参照しながら本発明の第２実施形態について説明する。なお、第１実施形態と同様の構成についてはその説明を省略する。
【００５０】
第１実施形態では、記録ヘッド内の容積と供給チューブ内の容積の和に相当する量よりも多いインク量を吸引する吸引動作を実行した場合に、蒸発率及びタイマを０にリセットしていた。本実施形態では、記録動作や予備吐出動作、少量（所定量未満）の吸引回復動作等を実行した場合のインク消費量に応じて蒸発率を減じ、より詳細に蒸発率を推定する構成とする。これにより、堆積抑制吐出において吐出する堆積抑制インクのインク量をさらに低減することができる。
【００５１】
本実施形態では堆積抑制インクの蒸発率を以下のように算出する。
【００５２】
まず、前回の蒸発率の算出時からのインク消費量が、記録ヘッド内の容積と供給チューブ内の容積の和に相当する量（所定量）よりも大きい場合、第１実施形態と同様に、蒸発率及びタイマを０にリセットする。一方、当該インク消費量が、当該所定量未満の場合、以下のような計算式で蒸発率を算出する。
蒸発率（今回）＝（蒸発率（前回）＋蒸発率（直近の所定期間）×温湿度係数（直近の所定期間））×（供給チューブ容積−前回からのインク消費量）／供給チューブ容積・・・式（５）
【００５３】
式（５）は、インクの蒸発率を積算したものから、供給チューブの容積に対する前回の蒸発率の算出時からのインク消費量の割合を減じたものである。これは、蒸発率の算出において、インク消費に伴って供給チューブ内のインクの一部がインクタンク内の新しいインク（ほとんど水分が蒸発していないインク）に置換されることで供給チューブ内のインクの蒸発率が緩和されることを考慮したものである。例えば、インク消費を考慮していない場合の蒸発率が２％、供給チューブの容積が４ｍｌ、前回の蒸発率の算出時からのインク消費量が１ｍｌである場合を考える。このとき、供給チューブ内のインク４ｍｌのうち、３ｍｌが蒸発率２％のインク、１ｍｌが蒸発率０％のインクと考える。そして、供給チューブ内のインクは、各蒸発率のインクの混合物であり、その蒸発率は１．５％であると推定する。
【００５４】
以上のように、本実施形態では、供給チューブ内にインクが充填されてからの経過時間、温度・湿度に関する情報、及び前回の蒸発率の算出時からのインク消費量に基づいて、堆積抑制インクの蒸発率を算出する。このようにして算出した蒸発率から、図８に示した蒸発係数を参照し、式（３）を用いて、堆積抑制吐出において吐出する堆積抑制インクの吐出量を決定する
以上、本実施形態によれば、堆積抑制インク中に含まれる水分の蒸発状態に応じて堆積抑制制御において吐出するインク量を決定する。これにより、インク受け部におけるインクの堆積を好適に抑制しつつ、インクの堆積を抑制するために使用するインク量を低減することができる。また、さらに本実施形態によれば、記録動作や予備吐出動作、少量（所定量未満）の吸引回復動作等を実行した場合のインク消費に伴う蒸発率の緩和も考慮する。これにより、より詳細に蒸発率を算出することができ、堆積抑制インクの吐出量をさらに低減することができる。
【００５５】
図１４は、本実施形態の温度２３℃、湿度５０％の環境下における堆積抑制インクのインク量低減の効果を示す図である。本実施形態によれば、例えば、前回の蒸発率の算出時からのインク消費量が２ｍｌであった場合、供給チューブにインクを充填してから（吸引動作を実行してから）３６日以内では、従来に比べて堆積抑制インクの吐出量を５０％低減することができた。また、吸引動作を実行してから３６〜７２日では５０％、７２〜１０８日では４０％、１０８〜１４４日では４０％、１４４〜１８０日では４０％の堆積抑制インクの吐出量を低減することができた。なお、第１実施形態でのインク量低減の効果は、図１３に示すように、吸引動作を実行してから３６日以内では５０％、３６〜７２日では４０％、７２〜１０８日では３０％、１０８〜１４４日では２０％、１４４〜１８０日では１０％であった。
【００５６】
本実施形態では、インク消費に伴う蒸発率の緩和も考慮しているため、第１実施形態よりもさらに堆積抑制インクの吐出量を低減できている。特に、前回の吸引動作を実行してからの経過時間が大きいほどその効果の差が顕著に表れている。
【００５７】
なお、上記実施形態では、プラテンに配されたプラテン吸収体におけるインクの堆積に対して本発明を適用した事例について説明しているが、本発明はこれに限定されるものではない。プラテン吸収体が配されていないプラテンの溝部におけるインクの堆積や、記録ヘッドを覆うことができるキャップに予備吐出動作を行う場合のキャップ内におけるインクの堆積に対しても、本発明を適用することができる。
【符号の説明】
【００５８】
１  インクタンク
６  供給チューブ
７  記録ヘッド
１０  回復ユニット
１１  記録用シート
１２  プラテン
１３  プラテン吸収体
【図１】
2018140606.tif 000003
【図２】
2018140606.tif 000004
【図３】
2018140606.tif 000005
【図４】
2018140606.tif 000006
【図５】
2018140606.tif 000007
【図６】
2018140606.tif 000008
【図７】
2018140606.tif 000009
【図８】
2018140606.tif 000010
【図９】
2018140606.tif 000011
【図１０】
2018140606.tif 000012
【図１１】
2018140606.tif 000013
【図１２】
2018140606.tif 000014
【図１３】
2018140606.tif 000015
【図１４】
2018140606.tif 000016